(57)【要約】【課題】天井が比較的低い部屋にも良好に設置することができる天井ファンを提供する。【解決手段】天井Ｔから吊り下げられた電灯８の近傍に配設され、モータ３により回転駆動されて送風可能な複数の羽根部材２を具備した天井ファンにおいて、モータ３及び羽根部材２を回転自在に支持するベアリング５を収容した筐体１を有するとともに、モータ３を筐体１の中央からオフセットした位置に配設したものであって、筐体１の中央には下方に向けて開口させた凹部が形成されるとともに、当該凹部の底面中央から電灯８のコードを垂下させたものである。【選択図】図２
2010059871.tif 000002
【特許請求の範囲】
【請求項１】
天井から吊り下げられた電灯の近傍に配設され、モータにより回転駆動されて送風可能な複数の羽根部材を具備した天井ファンにおいて、
前記モータ及び前記羽根部材を回転自在に支持するベアリングを収容した筐体を有するとともに、前記モータを前記羽根部材の回転中心からオフセットした位置に配設したことを特徴とする天井ファン。
【請求項２】
前記筐体の中央には下方に向けて開口させた凹部が形成されるとともに、当該凹部の底面中央から前記電灯のコードを垂下させたことを特徴とする請求項１記載の天井ファン。
【請求項３】
天井に固定された天井コンセントと係止しつつ導通して当該天井コンセントからの電力を前記モータに供給可能な接続金具を有するとともに、前記電灯のコネクタに形成された一対の金具を係止させつつ導通して前記天井コンセントからの電力を当該電灯に供給可能とされたコネクタ部を具備したことを特徴とする請求項１又は請求項２記載の天井ファン。
【発明の詳細な説明】
【技術分野】
【０００１】
本発明は、天井から吊り下げられた電灯の近傍に配設され、モータにより回転駆動されて送風可能な複数の羽根部材を具備した天井ファンに関するものである。
【背景技術】
【０００２】
天井に設置されて室内の換気を目的とした天井ファンは、通常、天井から吊り下げられた電灯の近傍に配設されるとともに、複数の羽根部材及び当該羽根部材を回転駆動させるためのモータを有して成るものである。天井には、通常、電灯に電力供給するための天井コンセントが固定されているため、かかる天井コンセントから電灯及びモータに対して電力供給が行われるよう構成されていた。尚、かかる先行技術は、文献公知発明に係るものでないため、記載すべき先行技術文献情報はない。
【発明の開示】
【発明が解決しようとする課題】
【０００３】
しかしながら、上記従来の天井ファンにおいては、モータが羽根部材の中央位置（羽根部材の回転中心）に配設されていたため、筐体の上部に当該モータを収容するための大きなスペースが必要となってしまうという問題があった。筐体の上部に大きなスペースが必要とされると、その分だけ天井ファンの設置位置が下方に下がってしまうことから、天井が比較的低い部屋に設置する場合、不都合が生じていた。
【０００４】
本発明は、このような事情に鑑みてなされたもので、天井が比較的低い部屋にも良好に設置することができる天井ファンを提供することにある。
【課題を解決するための手段】
【０００５】
請求項１記載の発明は、天井から吊り下げられた電灯の近傍に配設され、モータにより回転駆動されて送風可能な複数の羽根部材を具備した天井ファンにおいて、前記モータ及び前記羽根部材を回転自在に支持するベアリングを収容した筐体を有するとともに、前記モータを前記羽根部材の回転中心からオフセットした位置に配設したことを特徴とする。
【０００６】
請求項２記載の発明は、請求項１記載の天井ファンにおいて、前記筐体の中央には下方に向けて開口させた凹部が形成されるとともに、当該凹部の底面中央から前記電灯のコードを垂下させたことを特徴とする。
【０００７】
請求項３記載の発明は、請求項１又は請求項２記載の天井ファンにおいて、天井に固定された天井コンセントと係止しつつ導通して当該天井コンセントからの電力を前記モータに供給可能な接続金具を有するとともに、前記電灯のコネクタに形成された一対の金具を係止させつつ導通して前記天井コンセントからの電力を当該電灯に供給可能とされたコネクタ部を具備したことを特徴とする。
【発明の効果】
【０００８】
請求項１の発明によれば、モータを羽根部材の回転中心からオフセットした位置に配設したので、筐体の上部に大きなスペースが不要となり、天井が比較的低い部屋にも天井ファンを良好に設置することができる。
【０００９】
請求項２の発明によれば、筐体の中央には下方に向けて開口させた凹部が形成されるとともに、当該凹部の底面中央から電灯のコードを垂下させたので、電灯のコネクタの周囲を覆うカバーがある場合、当該カバーが凹部内に収容されることとなり、意匠性を更に向上させることができる。
【００１０】
請求項３の発明によれば、天井に固定された天井コンセントと係止しつつ導通して当該天井コンセントからの電力を前記モータに供給可能な接続金具を有するとともに、電灯のコネクタに形成された一対の金具を係止させつつ導通して天井コンセントからの電力を当該電灯に供給可能とされたコネクタ部を具備したので、天井コンセントを増設することなく電灯及びモータの双方に電力供給することができるとともに、既存の電灯をそのまま流用させることができる。
【発明を実施するための最良の形態】
【００１１】
以下、本発明の実施形態について図面を参照しながら具体的に説明する。
本実施形態に係る天井ファンは、図１、２に示すように、室内の換気を目的として天井Ｔから吊り下げられた電灯８の近傍（電灯８の上方であって天井Ｔ側）に配設されたものである。本実施形態に適用される電灯８は、傘型のカバー９で覆われつつコードＨを介して天井Ｔから吊り下げられるものであり、当該コードＨの基端側にはコネクタ１１が形成されている。尚、コードＨの基端側には、コネクタ１１の周囲を覆う基端側カバー１０が形成されている。
【００１２】
コネクタ１１は、一般の電灯のコードに形成される汎用的なもので、図６に示すように、それぞれの先端が折り曲げ加工されて係止部１６ａが形成された一対の金具１６を有している。また、天井Ｔに固定される汎用的な天井コンセントＣは、図５に示すように、一対の金具１６に対応した一対の切欠１２が形成されており、当該切欠１２の幅広部から一対の金具１６が挿通可能とされている。
【００１３】
そして、当該切欠１２の幅広部に一対の金具１６を挿通させた状態でコネクタ１１を所定方向に回転させれば、係止部１６ａが切欠１２の幅細部に係止されるとともに導通金具１５の接点部１５ａと当接して電気的に接続（導通）され得るようになっている。この導通金具１５は、一端に接点部１５ａ及び他端に基端部１５ｂが形成された一体の金具から成るものであり、基端部１５ｂが電源配線と接続されて電力供給可能とされている。尚、図中符号１３は、天井コンセントＣを天井Ｔに固定するネジの挿通孔を示しており、符号１４は、当該挿通孔１３が形成されたボス部を示している。
【００１４】
一方、本実施形態に係る天井ファンは、上記天井コンセントＣ及びコネクタ１１の双方とそれぞれ電気的に接続可能とされたものであり、筐体１と、正転及び逆転駆動可能なモータ３と、モータ３により回転駆動可能な複数（本実施形態においては３枚）の羽部材２と、コネクタ部７とから主に構成されている。
【００１５】
筐体１は、モータ３及び羽根部材２を回転自在に支持するベアリング５等を収容したもので、外側のファンカバー１ａと、内側のファンベース１ｂとから主に構成されており、一部にモータ取付板１ｃが形成されている。より具体的には、ファンベース１ｂには、ベアリング５を介して円環状の回転部材６が回転自在に取り付けられており、かかる回転部材６に対して羽根部材２が取り付けられている。尚、羽根部材２は、回転部材６に対してピンＰにより固定されており、当該ピンＰの挿抜操作により、当該羽根部材２が脱着可能とされている。
【００１６】
モータ取付板１ｃにはモータ３が取り付けられており、当該モータ３の出力軸３ａが下方に向かって延びている。然るに、モータ３は、筐体１の中央からオフセットした位置（側方にずれた位置）、具体的には羽根部材２の回転中心Ｌからオフセットした位置に配設されることとなっている。即ち、従来であれば、羽根部材２の回転中心Ｌ上であって筐体１の上部にモータが配設されていたのに対し、本発明においては、図示の如く、回転中心Ｌからずれた位置であって筐体１の内部（従って、従来より下方の位置）にモータ３が収容されているのである。
【００１７】
一方、回転部材６の上面には、円環状に立ち上がって形成されたリブ６ａが形成されており、かかるリブ６ａの内周面６ａａにウレタンローラ４が当接して配設されている。かかるウレタンローラ４は、モータ３の出力軸３ａに形成されており、当該モータ３の駆動により回転して回転部材６及び羽根部材２を回転駆動し得るよう構成されている。而して、羽根部材２が回転することにより、室内に対して送風可能とされている。
【００１８】
また、筐体１の中央には下方に向けて開口させた凹部Ａが形成されるとともに、当該凹部Ａの底面Ａａにコネクタ部７が配設されている。かかるコネクタ部７は、図３、４に示すように、天井コンセントＣと係止しつつ導通して当該天井コンセントＣからの電力をモータ３に供給可能な一対の接続金具７ａを有するとともに、電灯８のコネクタ１１に形成された一対の金具１６を係止させつつ導通して天井コンセントＣからの電力を当該電灯８に供給可能とされたものである。
【００１９】
接続金具７ａは、コネクタ部７の上面から上方に立ち上がって形成され、その先端が折り曲げ加工されて係止部７ａａを有しており、その立ち上り部と係止部７ａａとがコネクタ１１の一対の金具１６及び係止部１６ａと略同一形状とされている。即ち、天井コンセントＣの切欠１２には、電灯８におけるコネクタ１１の一対の金具１６、及び本天井ファンにおけるコネクタ部７の接続金具７ａの双方とも共通に挿通及び係止可能とされており、何れも導通金具１５に対して電気的接続（導通）が可能とされているのである。
【００２０】
また、コネクタ部７の下面には、天井コンセントＣと略同一形状の切欠７ｃが形成されており、その幅広部から電灯８におけるコネクタ１１の一対の金具１６を挿通可能とされている。そして、当該切欠７ｃの幅広部に一対の金具１６を挿通させた状態でコネクタ１１を所定方向に回転させれば、係止部１６ａが切欠７ｃの幅細部に係止されるとともに導通金具７ｂの接点部７ｂａと当接して電気的に接続（導通）され得るようになっている。
【００２１】
この導通金具７ｂは、一端に接点部７ｂａ及び他端に基端部７ｂｂが形成された一体の金具から成るものであり、基端部７ｂｂは、接続金具７ａの導電部７ａｂと当接して当該接続金具７ａと電気的に接続されている。而して、天井コンセントＣからの電力は、接続金具７ａを介してモータ３に供給されるとともに、当該接続金具７、導電部７ａｂ、金具１６及びコードＨを介して電灯８にも供給されるようになっている。
【００２２】
上記実施形態によれば、モータ３を筐体１の中央からオフセットした位置に配設したので、筐体３の上部にモータ設置のための大きなスペースが不要となり、天井が比較的低い部屋にも天井ファンを良好に設置することができる。即ち、従来であれば、モータが羽根部材の回転中心軸上であって筐体の上部に設置されていたため、その設置スペースの分だけ天井ファン全体が下方に位置することとなっていたのに対し、本発明によれば、天井ファンの筐体１の中央からオフセットした位置にモータが配設されるため、上部にモータ設置用のスペースが不要とされ、天井Ｔにより近い位置に天井ファンを設置することができるのである。
【００２３】
天井Ｔに固定された天井コンセントＣと係止しつつ導通して当該天井コンセントＣからの電力をモータ３に供給可能な接続金具７ａを有するとともに、電灯８のコネクタ１１に形成された一対の金具１６を係止させつつ導通して天井コンセントＣからの電力を当該電灯８に供給可能とされたコネクタ部７を具備したので、天井コンセントＣを増設することなく電灯８及びモータ３の双方に電力供給することができる。
【００２４】
また、電灯８におけるコネクタ１１の一対の金具１６、及び本天井ファンにおけるコネクタ部７の接続金具７ａの双方とも共通に天井コンセントＣの切欠１２に対して挿通及び係止可能とされており、何れも導通金具１５に対して電気的接続（導通）が可能とされているので、既存の電灯を天井コンセントＣから取り外し、代わりに本天井ファンを当該天井コンセントＣに係止及び接続して取り付け、一旦取り外した既存の電灯のコネクタ１１をコネクタ部７に係止及び接続させれば、既存の電灯をそのまま流用させることができる。
【００２５】
更に、本実施形態によれば、筐体１の中央には下方に向けて開口させた凹部Ａが形成されるとともに、当該凹部Ａの底面Ａａ中央から電灯８のコードＨを垂下させたので、コネクタ１１及びコネクタ部７が凹部Ａ内に隠れた位置となって意匠性を向上させることができる。また、電灯８のコネクタ１１の周囲を覆う基端側カバー１０がある場合、当該基端側カバー１０が凹部Ａ内に収容されることとなり、意匠性を更に向上させることができる。
【００２６】
以上、本実施形態について説明したが、本発明はこれに限定されるものではなく、例えば筐体１全体の形状や羽根部材２の枚数等を任意変更してもよく、適用される電灯８についても種々変更することができる。また、ベアリング５は、ボールベアリング或いはニードルベアリング等如何なる形態のベアリングであってもよく、当該ベアリング５に代えて回転用のブッシュ等としてもよい。
【産業上の利用可能性】
【００２７】
モータ及び羽根部材を回転自在に支持するベアリングを収容した筐体を有するとともに、モータを羽根部材の回転中心からオフセットした位置に配設した天井ファンであれば、外観形状が異なるもの或いは他の機能が付加されたものにも適用することができる。
【図面の簡単な説明】
【００２８】
【図１】本発明の実施形態に係る天井ファンの外観を示す斜視図
【図２】同天井ファンを示す断面模式図
【図３】同天井ファンにおけるコネクタ部を示す断面模式図
【図４】同コネクタ部の下面図及び上面図
【図５】同天井ファンに適用される天井コンセントを示す下面図及び上面図
【図６】同天井ファンに適用される電灯のコネクタを示す側面図及び上面図
【符号の説明】
【００２９】
１    筐体
１ａ  ファンカバー
１ｂ  ファンベース
２    羽根部材
３    モータ
４    ウレタンローラ
５    ベアリング
６    回転部材
７    コネクタ部
７ａ  接続金具
８    電灯
９    カバー
１０  基端側カバー
１１  コネクタ
１２  切欠
１３  挿通孔
１４  ボス部
１５  導通金具
１６  金具
Ｌ    回転中心
Ｃ    天井コンセント
Ａ    凹部
Ａａ  底面
Ｔ    天井
Ｈ    コード
【図１】
2010059871.tif 000003
【図２】
2010059871.tif 000004
【図３】
2010059871.tif 000005
【図４】
2010059871.tif 000006
【図５】
2010059871.tif 000007
【図６】
2010059871.tif 000008